(57)【要約】      （修正有）【課題】見出しの強度を高めると共に、見出しの識別が容易になる、見出し付バインダー用クリヤーポケットリフィルを提供する。【解決手段】透明なプラスチックシートにて形成されたクリヤーポケットリフィル１０を設ける。クリヤーポケットリフィル１０の一方に突設された見出し２０を設ける。クリヤーポケットリフィル１０の他方に形成され、バインダーに綴り込む連結部３０を設ける。一対の重合片と、該重合片の間に接着された色別補強片とで見出し２０を設ける。見出し２０の位置によって色彩が異なるように色別補強片を配色する。複数枚のクリヤーポケットリフィル１０を重ねたときに隣接する色別補強片の色が異なるように構成する。重合片に色別補強片を面接着し、重合片の表面がフラットになるように構成する。【選択図】図２
0003176151.tif 000002
【実用新案登録請求の範囲】
【請求項１】
透明なプラスチックシートにて形成されたクリヤーポケットリフィルと、クリヤーポケットリフィルの一方に突設された見出しと、クリヤーポケットリフィルの他方に形成され、バインダーに綴り込む連結孔を有する連結部とを備えた見出し付バインダー用クリヤーポケットリフィルにおいて、見出しは、クリヤーポケットリフィルの表シートと裏シートから延長された一対の重合片と、該重合片の間に接着された色別補強片とで設けられ、該色別補強片は、見出しの位置によって色彩が異なるように配色され、複数枚のクリヤーポケットリフィルを重ねたときに隣接する色別補強片の色が異なるように構成したことを特徴とする見出し付バインダー用クリヤーポケットリフィル。
【請求項２】
前記色別補強片は、前記重合片に面接着され前記重合片の表面がフラットになるように構成された請求項１記載の見出し付バインダー用クリヤーポケットリフィル。
【請求項３】
前記連結部は、前記クリヤーポケットリフィルの表シートと裏シートから延長された一対の連結片と、該連結片の間に挿入される連結補強片とで設けられ、重合した連結片と連結補強片とを貫通するように前記連結孔が開穿された請求項１記載の見出し付バインダー用クリヤーポケットリフィル。
【考案の詳細な説明】
【技術分野】
【０００１】
本考案は、バインダーに綴り込む見出し付クリヤーポケットリフィルに係り、特に見出しの強度に優れ、見出しの識別が容易な見出し付バインダー用クリヤーポケットリフィルに関する。
【背景技術】
【０００２】
プラスチックシートで形成されバインダーに綴じ込むように構成したクリヤーポケットリフィルが特許文献１や特許文献２に記載されている。
【０００３】
特許文献１のクリヤーポケットリフィルは、見出しの耐久性を高めるために考案されたもので、クリヤーポケットリフィルの端部に見出しを構成する段差部を備えたものである。そして、クリヤーポケットリフィルに収納する用紙の一部に見出し片を突設した紙葉を設け、この紙葉をクリヤーポケットリフィルに収納する際に、紙葉の見出し片をクリヤーポケットリフィルの段差部に挿入して見出しの強度を高める構成である。
【０００４】
一方、特許文献２に記載のクリヤーポケットリフィルは、見出し片をクリヤーポケットリフィルと一体に形成することで、見出し片の強度を高めるものである。
【先行技術文献】
【特許文献】
【０００５】
【特許文献１】実開平３‐１２６６７８号公報
【特許文献２】特許第２６８４１５７号公報
【考案の概要】
【考案が解決しようとする課題】
【０００６】
ところが特許文献１のクリヤーポケットリフィルは、見出し片を突設した紙葉を設け、この見出し片をクリヤーポケットリフィルの段差部に挿入して見出しの強度を高めるものであるから、クリヤーポケットリフィルに収容する用紙は、この見出し片を突設した紙葉に限られることになり、クリヤーポケットリフィルとして汎用性に欠ける不都合があった。
【０００７】
一方、特許文献２に記載のクリヤーポケットリフィルは、見出し片をクリヤーポケットリフィルと一体に形成することで、見出し片の強度を高めるものであるが、クリヤーポケットリフィルと見出し片を一体に形成する製造工程が複雑になり、製造コストが高くなる課題があった。
【０００８】
しかも、これら従来の見出しは、いずれもクリヤーポケットリフィルの一部から突出することで識別し易くしているが、クリヤーポケットリフィルを複数枚重ねて各クリヤーポケットリフィルから突出した複数の見出しが上下に並んだ状態になると、これらの見出しがいずれも同じ形状、同じ色彩であるため、上下に並んだ見出しが、あたかも一体化したかのように見えてしまい、各見出しの識別が難くなる不都合もあった。
【０００９】
また、バインダーに綴り込む見出し付クリヤーポケットリフィルは、見出しの強度も重要であるが、バインダーの綴じ具に連結される部分の強度を高める必要もある。そのため、特許文献１や特許文献２に記載のクリヤーポケットリフィルでは、この連結部分の強度を強化することは困難である。
【００１０】
そこで本考案は、上述の課題を解消すべく案出されたもので、見出しの強度を高めると共に、見出しの識別が容易になり、しかも、バインダーに綴じる連結部分の強度を高めることができる見出し付バインダー用クリヤーポケットリフィルの提供を目的とするものである。
【課題を解決するための手段】
【００１１】
上述の目的を達成すべく本考案における第１の手段は、透明なプラスチックシートにて形成されたクリヤーポケットリフィル１０と、クリヤーポケットリフィル１０の一方に突設された見出し２０と、クリヤーポケットリフィル１０の他方に形成され、バインダーに綴り込む連結孔３３を有する連結部３０とを備えた見出し付バインダー用クリヤーポケットリフィルにおいて、
見出し２０は、クリヤーポケットリフィル１０の表シート１１と裏シート１２から延長された一対の重合片２１と、該重合片２１の間に接着された色別補強片２２とで設けられ、
該色別補強片２２は、見出し２０の位置によって色彩が異なるように配色され、複数枚のクリヤーポケットリフィル１０を重ねたときに隣接する色別補強片２２の色が異なるように構成したことにある。
【００１２】
第２の手段において、前記色別補強片２２は、前記重合片２１に面接着され前記重合片２１の表面がフラットになるように構成されたものである。
【００１３】
第３の手段において、前記連結部３０は、前記クリヤーポケットリフィル１０の表シート１１と裏シート１２から延長された一対の連結片３１と、該連結片３１の間に挿入される連結補強片３２とで設けられ、重合した連結片３１と連結補強片３２とを貫通するように前記連結孔３３が開穿されたものである。
【考案の効果】
【００１４】
本考案の請求項１によると、見出し２０は、クリヤーポケットリフィル１０の表シート１１と裏シート１２から延長された一対の重合片２１と、該重合片２１の間に接着された色別補強片２２とで設けられるように構成したことにより、見出しの強度を高めることができる。
【００１５】
しかも、色別補強片２２は、見出し２０の位置によって色彩が異なるように配色され、複数枚のクリヤーポケットリフィル１０を重ねたときに隣接する色別補強片２２の色が異なるものであるから、見出しの識別が容易になり、複数の見出しを並べて使用する際に、これらの見出しが識別し難くなるといった従来の不都合は解消された。
【００１６】
請求項２によると、色別補強片２２は、重合片２１に面接着され重合片２１の表面がフラットになるように構成されているから、見出し２０の重合片２１に任意の書き込みが容易に行えるものである。
【００１７】
請求項３によると、連結部３０は、クリヤーポケットリフィル１０の表シート１１と裏シート１２から延長された一対の連結片３１と、該連結片３１の間に挿入される連結補強片３２とで設けられ、重合した連結片３１と連結補強片３２とを貫通するように連結孔３３が開穿された構成であるから、連結部３０の強度が高まり、バインダーに何度も綴じたり外したりしても連結部３０の破損を防止することができる。
【図面の簡単な説明】
【００１８】
【図１】本考案の一実施例を示す正面図である。
【図２】本考案の一実施例を示す要部斜視図である。
【図３】本考案のインデックスを示す要部正面図である。
【図４】図３に示す矢視IV‐IV線を示す断面図である。
【図５】本考案の綴り孔を示す要部正面図である。
【図６】図４に示す矢視VI‐VI線を示す断面図である。
【考案を実施するための形態】
【００１９】
本考案によると、見出しの強度を高めると共に、見出しの識別が容易になり、しかも、バインダーに綴じる連結部分の強度を高めることができるなどといった当初の目的を達成した。
【実施例】
【００２０】
以下、本考案の実施例を説明する。本考案クリヤーポケットリフィルの基本構成は、クリヤーポケットリフィル１０、見出し２０、連結部３０にて構成される（図１参照）。
【００２１】
クリヤーポケットリフィル１０は、透明なプラスチックシートにて形成され、上部が開口する袋状部材である。図示のクリヤーポケットリフィル１０は、表シート１１と裏シート１２とが重合され（図２参照）、左右側縁と底部とがシールされたものである（図１参照）。このとき表シート１１と裏シート１２は便宜上の符号でいずれを表シート１１としても良い。また、従来使用されているクリヤーポケットリフィルのいずれのタイプでもクリヤーポケットリフィル１０として使用可能である。
【００２２】
見出し２０は、クリヤーポケットリフィル１０の一方に突設された部材で、一対の重合片２１と重合片２１の間に接着された色別補強片２２とで設けたものである（図４参照）。各重合片２１は、クリヤーポケットリフィル１０の表シート１１と裏シート１２から延長されたものである。図示例では、クリヤーポケットリフィル１０と見出し２０との境界部分をドット溶着１３してクリヤーポケットリフィル１０のエリアを明確にしている（図３参照）。
【００２３】
また、色別補強片２２は、一対の重合片２１の間に接着されたシート部材である（図４参照）。この色別補強片２２は、見出し２０の位置によって色彩が異なるように配色され、複数枚のクリヤーポケットリフィル１０を重ねたときに隣接する色別補強片２２の色が異なるように構成している（図１参照）。また、この色別補強片２２は、重合片２１に面接着され重合片２１の表面がフラットになるように構成されている（図４参照）。図示例では、重合片２１と色別補強片２２とを面接着した後に、更に色別補強片２２の左右側縁に沿ってドット溶着１３しているが、このドット溶着の有無は任意に変更することができる。
【００２４】
連結部３０は、バインダーに綴り込む連結孔３３を有する部位で、一対の連結片３１と連結片３１の間に挿入された連結補強片３２とで設けたものである（図５、図６参照）。各連結片３１は、クリヤーポケットリフィル１０の表シート１１と裏シート１２から延長され、長手方向に沿った左右一対のドット溶着１３にてクリヤーポケットリフィル１０から、略筒状に区画形成されたものである（図６参照）。また、連結補強片３２は、一対の連結片３１の間に挿入されるテープ状部材で、これら重合した連結片３１と連結補強片３２とを貫通するように連結孔３３が開穿されたものである。図示例では、３０穴用のバインダーに綴り込むタイプの連結部３０を示しているが（図１参照）、この連結部３０の孔の数や連結手段等は、従来のバインダー用の連結手段に変更することが可能である。
【００２５】
本考案クリヤーポケットリフィルを使用するには、クリヤーポケットリフィル１０の内部に任意の用紙等を収納し、連結部３０の連結孔３３をバインダーの綴じ具に合わせて連結する。複数枚のクリヤーポケットリフィル１０を重ねると、位置が異なる見出し２０がクリヤーポケットリフィル１０から突出する。このとき、見出し２０の色別補強片２２によって各見出し２０の識別が容易になるものである。また、この見出し２０の重合片２１に任意の書き込み等により、見出し２０の識別力を更に高めることが可能である。
【産業上の利用可能性】
【００２６】
本考案支持具は、バインダー用のクリヤーポケットリフィルとして説明しているが、連結部３０の形状やクリヤーポケットリフィル１０の材質を変更することで、他の用途のクリヤーポケットリフィルとして利用することも可能である。また、本考案の各構成部材は図示例に限られるものではなく、本考案の要旨を変更しない範囲で自由に設計変更できるものである。
【符号の説明】
【００２７】
１０  クリヤーポケットリフィル
１１  表シート
１２  裏シート
２０  見出し
２１  重合片
２２  色別補強片
３０  連結部
３１  連結片
３２  連結補強片
３３  連結孔
【図１】
0003176151.tif 000003
【図２】
0003176151.tif 000004
【図３】
0003176151.tif 000005
【図４】
0003176151.tif 000006
【図５】
0003176151.tif 000007
【図６】
0003176151.tif 000008